(57)【特許請求の範囲】
【請求項１】
過酸化水素及び水を含有し、２０℃におけるｐＨが１．０〜６．５である組成物からなるＡ剤と、カリウムイオン１．５〜１０質量％及び水を含有し、２０℃におけるｐＨが９．０〜１２．０である組成物からなるＢ剤とを、Ａ剤とＢ剤とを分離して保持する容器に充填してなる２剤型漂白剤であって、Ａ剤及びＢ剤が下記性質（Ｉ）及び（II）を満足する２剤型漂白剤。
（Ｉ）Ａ剤１０００ｍｌの２０℃におけるｐＨを７にするために必要な０．１規定水酸化ナトリウム水溶液の量が５０〜１０００ｍｌである。
（II）Ｂ剤１０００ｍｌの２０℃におけるｐＨを７にするために必要な１規定硫酸水溶液の量が４５０〜２０００ｍｌである。
【請求項２】
Ｂ剤中に存在するアルカリ金属イオン及びアルカリ土類金属イオンの総量に対するカリウムイオンの比率が５０〜１００質量％である請求項１記載の２剤型漂白剤。
【請求項３】
Ａ剤及びＢ剤の少なくとも１方が、下記一般式（１）で表される非イオン界面活性剤を含有する請求項１又は２記載の２剤型漂白剤。
Ｒ1−Ｏ−(Ｃ2Ｈ4Ｏ)s−(Ｃ3Ｈ6Ｏ)t−Ｈ                  （１）
〔式中、Ｒ1は炭素数１０〜１８のアルキル基又はアルケニル基であり、ｓは２〜２０、ｔは０〜１０の数であり、エチレンオキシドとプロピレンオキシドはランダムあるいはブロック付加体であってもよい。〕
【発明の詳細な説明】
【０００１】
【発明の属する技術分野】
本発明は２剤型漂白剤に関する
【０００２】
【従来の技術及び発明が解決しようとする課題】
過酸化水素を主基剤とする液体漂白剤は色柄物に使用でき、汚れに直接塗布できるなどの使い勝手の良さから好まれて使用されている。また、貯蔵安定性や漂白効果を高めることを目的に２剤型液体漂白剤の研究が行われている。
【０００３】
特開平３−１４０４００号公報、特開平６−１６６８９２号公報、特開平９−１５７６９３号公報、特開平９−４８９９７号公報には過酸化水素を含有するＡ剤と漂白活性化剤を含有するＢ剤からなる漂白剤組成物が開示されている。これらの技術は、紅茶や赤ワイン等の親水性汚れに対しては、高い漂白効果が得られるものの、カレー汚れ等の親油性汚れに対しては、満足できるレベルに達していない。
【０００４】
従って本発明の課題は、これらの欠点を克服し、親油性汚れに対する漂白効果に優れる２剤型漂白剤を提供することにある。
【０００５】
【課題を解決するための手段】
本発明は、過酸化水素及び水を含有し、２０℃におけるｐＨが１．０〜６．５である組成物からなるＡ剤と、カリウムイオン１．５〜１０質量％及び水を含有し、２０℃におけるｐＨが９．０〜１２．０である組成物からなるＢ剤とを、Ａ剤とＢ剤とを分離して保持する容器に充填してなる２剤型漂白剤を提供する。
【０００６】
なお、本発明でいう漂白剤とは、洗剤の補助剤としての漂白剤のみならず、独立した洗浄剤としての使用も含む。
【０００７】
【発明の実施の形態】
＜Ａ剤＞
本発明のＡ剤は過酸化水素を好ましくは０．１〜１０質量％、より好ましくは０．５〜６質量％、特に好ましくは１〜６質量％及び水を含有する。過酸化水素がこのような範囲であれば満足できる漂白効果を得ることができる。
【０００８】
また、Ａ剤の２０℃におけるｐＨは１〜６．５、好ましくは１．５〜６、特に好ましくは２〜５である。このｐＨ範囲において、優れた漂白効果と貯蔵安定性が得られる。
【０００９】
また、本発明では、Ａ剤１０００ｍｌの２０℃におけるｐＨを７にするために必要な０．１規定水酸化ナトリウム水溶液の量が、好ましくは５０〜１０００ｍｌ、より好ましくは１００〜１０００ｍｌ、特に好ましくは１５０〜６００ｍｌであることが好適であり〔性質（Ｉ）〕、このような性質（Ｉ）を満たすことにより、より優れた貯蔵安定性と漂白効果が得られる。
【００１０】
このような性質（Ｉ）をＡ剤に付与するためには、酸剤を用いて所定のｐＨに調整することが好ましい。ここで本発明でいう酸剤とは、２０℃の１Ｌイオン交換水に１ｇ以上溶解し、且つ１ｇ／１Ｌの濃度の２０℃におけるｐＨが５以下の物質が好ましい。また、本発明で好ましい酸剤は水中における酸解離定数ｐＫaが１〜８の範囲内で２段以上有する化合物である。ここで本発明でいう酸解離定数は、「化学便覧基礎編II」（改訂３版  日本化学会編）のII−３３８頁〜II−３４２頁に記載の通りである。
【００１１】
具体的に好ましい化合物は▲１▼リン酸、トリポリリン酸、フィチン酸から選ばれるリン酸系化合物、▲２▼エタン−１，１−ジホスホン酸、エタン−１，１，２−トリホスホン酸、エタン−１−ヒドロキシ−１，１−ジホスホン酸、エタンヒドロキシ−１，１，２−トリホスホン酸、エタン−１，２−ジカルボキシ−１，２−ジホスホン酸、メタンヒドロキシホスホン酸から選ばれるホスホン酸、▲３▼２−ホスホノブタン−１，２−ジカルボン酸、１−ホスホノブタン−２，３，４−トリカルボン酸、α−メチルホスホノコハク酸から選ばれるホスホノカルボン酸、▲４▼アスパラギン酸、グルタミン酸、グリシンから選ばれるアミノ酸、▲５▼ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸、ジエンコル酸から選ばれるアミノポリ酢酸、▲６▼ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキメチル酒石酸から選ばれる有機酸、▲７▼アミノポリ（メチレンホスホン酸）、またはポリエチレンポリアミンポリ（メチレンホスホン酸）、を挙げることができ、より好ましくは▲２▼のホスホン酸化合物、▲５▼のアミノポリ酢酸化合物、▲６▼の有機酸、及び▲７▼の化合物が好適である。本発明では特にエタン−１，１−ジホスホン酸、エタン−１，１，２−トリホスホン酸、エタン−１−ヒドロキシ−１，１−ジホスホン酸、クエン酸、コハク酸、マレイン酸、フタル酸、テレフタル酸、イソフタル酸、フマル酸、アジピン酸、アスパラギン酸、アゼライン酸、グルタミン酸、グルタル酸、エチレンジアミン４酢酸、ジエチレントリアミン５酢酸、エチレンジアミン２酢酸、２−ヒドロキシエチルイミノジ酢酸から選ばれる化合物が最も好ましい。
【００１２】
本発明では上記酸剤を、Ａ剤が前記した性質（Ｉ）を満たすよう、Ａ剤中に０．１〜１０質量％、好ましくは０．２〜５質量％、特に好ましくは０．２〜３質量％の範囲で配合することが好ましい。なお、本発明のＡ剤はアルカリ剤を含有していてもよい。アルカリ剤は後述のＢ剤で挙げたものを使用することができる。
【００１３】
本発明のＡ剤に使用する水は、蒸留水又はイオン交換水が好ましい。また、貯蔵安定性の点で、水の含有量はＡ剤中に５０〜９９質量％、更に６０〜９５質量％が好適である。
【００１４】
＜Ｂ剤＞
本発明のＢ剤は、水を含有する２０℃におけるｐＨが９．０〜１２．０、好ましくは９．０〜１１．５、特に好ましくは９．５〜１１．０の組成物である。ｐＨがこの範囲において満足できる漂白効果が得られる。
【００１５】
また、本発明のＢ剤は、カリウムイオンを１．５〜１０質量％、好ましくは２〜８．５質量％、より好ましくは２〜６質量％含有する。このような範囲以外では満足できる漂白効果と貯蔵安定性を得ることができない。
【００１６】
また、Ｂ剤中に存在するアルカリ金属イオン及びアルカリ土類金属イオンの総量に対するカリウムイオンの比率が５０〜１００質量％、更に６０〜９５質量％であることが、漂白効果及び貯蔵安定性の点から良好である。なお、Ｂ剤中のカリウムイオン、その他のアルカリ金属イオン、アルカリ土類金属イオンの含有量は原子吸光法で測定することができる。
【００１７】
カリウムイオン源として好ましい化合物は、炭酸カリウム、炭酸水素カリウム、水酸化カリウム、硼酸カリウム、リン酸３カリウム、リン酸水素２カリウム、リン酸２水素カリウム、珪酸カリウム、硫酸カリウム、クエン酸３カリウム、コハク酸３カリウム、酢酸カリウムを挙げることができ、これらの中でも特に水酸化カリウム、炭酸カリウム、炭酸水素カリウム、リン酸３カリウム、リン酸水素２カリウム、リン酸２水素カリウム、クエン酸３カリウム、コハク酸３カリウムから選ばれる１種以上が好適である。
【００１８】
本発明のＢ剤はさらに、該Ｂ剤１０００ｍｌの２０℃におけるｐＨを７にするために必要な１規定硫酸水溶液の量が、４５０〜２０００ｍｌ、更に４５０〜２０００ｍｌ、特に５００〜１０００ｍｌであることが好ましい〔性質（II）〕。このような性質（II）を満たすことにより、より優れた漂白効果と貯蔵安定性が得られる。このような性質（II）をＢ剤に付与するために、アルカリ剤として、好ましくは上述のカリウムイオン源、及び炭酸ナトリウム、モノエタノールアミン、ジエタノールアミン、トリエタノールアミン、リン酸３ナトリウム、リン酸水素２ナトリウムから選ばれる１種以上を配合することが好適である。これらは、性質（II）や、カリウムイオンの量比を満足するように配合することが良好である。本発明では、上述のカリウムイオン源及びそれ以外のアルカリ剤の合計量が、Ｂ剤中、好ましくは３〜２０質量％、より好ましくは３．５〜１５質量％、特に好ましくは４〜１０質量％であることが好適である。
【００１９】
本発明のＢ剤に使用する水は、蒸留水又はイオン交換水が好ましい。また、貯蔵安定性の点で、水の含有量はＢ剤中に３０〜９９質量％、更に５０〜９５質量％が好適である。
【００２０】
また、Ｂ剤には、前記の（II）の性質を達成するために、必要ならば酸剤を配合してもよい。酸剤は前述のＡ剤で挙げたものを使用することができる。
【００２１】
＜その他の成分＞
本発明では漂白効果を高めさらに洗浄効果を付与する目的から、Ａ剤及びＢ剤の少なくとも１方、好ましくはＡ剤に一般式（１）で示される非イオン界面活性剤を用いることが好ましい。
【００２２】
Ｒ1−Ｏ−(Ｃ2Ｈ4Ｏ)s−(Ｃ3Ｈ6Ｏ)t−Ｈ                  （１）
〔式中、Ｒ1は炭素数１０〜１８、より好ましくは１０〜１４のアルキル基又はアルケニル基であり、ｓは２〜２０、好ましくは４〜１２、さらに好ましくは４〜８、ｔは０〜１０、好ましくは０〜５の数であり、エチレンオキシド（Ｃ2Ｈ4Ｏ）とプロピレンオキシド(Ｃ3Ｈ6Ｏ)はランダムあるいはブロック付加体であってもよい。〕。
【００２３】
一般式（１）の非イオン界面活性剤をＡ剤に配合する場合、その含有量はＡ剤中好ましくは０．１〜３０質量％、より好ましくは０．５〜２０質量％、特に好ましくは１〜１５質量％である。一般式（１）の非イオン界面活性剤はＡ剤に配合することが好ましいが、Ｂ剤に使用しても差し支えなく、Ｂ剤中の含有量は好ましくは０〜６０質量％、より好ましくは０．１〜５０質量％である。
【００２４】
本発明では一般式（１）で表される非イオン界面活性剤以外に、他の非イオン界面活性剤、陰イオン界面活性剤、陽イオン界面活性剤、及び両性界面活性剤をＡ剤及び／又はＢ剤に使用することができる。
【００２５】
陰イオン界面活性剤としては、分子中に炭素数１０〜１８、好ましくは１０〜１６、特に好ましくは１０〜１５のアルキル基又はアルケニル基と、−ＳＯ3Ｍ基及び／又は−ＯＳＯ3Ｍ基〔Ｍ：対イオン〕とを有する陰イオン界面活性剤が好ましい。具体的にはアルキルベンゼンスルホン酸、アルキル（又はアルケニル）硫酸エステル、ポリオキシアルキレンアルキル（又はアルケニル）エーテル硫酸エステル、オレフィンスルホン酸、アルカンスルホン酸、α−スルホ脂肪酸、α−スルホ脂肪酸エステル及びこれらの塩が好ましい。これらは、上記炭素数のアルキル基又はアルケニル基を有する。これらの中でも特に炭素数１０〜１６のアルキル基又はアルケニル基を有するアルキル（又はアルケニル）硫酸エステル、炭素数１０〜１６のアルキル基又はアルケニル基を有し、エチレンオキシド（以下、ＥＯと表記する）平均付加モル数が１〜６、好ましくは１〜４、特に好ましくは１〜３であるポリオキシエチレンアルキル（又はアルケニル）エーテル硫酸エステル、炭素数１０〜１５のアルキル基を有するアルキルベンゼンスルホン酸、およびこれらの塩から選ばれる一種以上を配合することが好ましい。塩としては、ナトリウム塩、カリウム塩、アンモニウム塩、アルカノールアミン塩が貯蔵安定性の点から良好である。
【００２６】
陽イオン界面活性剤としては、下記一般式（２）のモノ長鎖アルキル（もしくはアルケニル）トリ短鎖アルキル型陽イオン界面活性剤が好ましい。
【００２７】
【化１】
0004675518.tif 000002
【００２８】
〔式中、Ｒ2は炭素数８〜１８、好ましくは１０〜１８、特に好ましくは１０〜１６のアルキル基またはアルケニル基であり、Ｒ3、Ｒ4、Ｒ5は同一又は異なっていてもよい炭素数１〜３のアルキル基である。Ｘ-は陰イオン、好ましくはハロゲンイオン、炭素数１〜３のアルキル硫酸エステルイオン、炭素数１〜１２の脂肪酸イオン、炭素数１〜３の置換基を１〜３個有していてもよいアリールスルホン酸イオンである。〕。
【００２９】
両性界面活性剤としては下記一般式（３）の化合物及び一般式（４）の化合物から選ばれる化合物が好ましい。
【００３０】
【化２】
0004675518.tif 000003
【００３１】
〔式中、Ｒ6は炭素数８〜１６、好ましくは１０〜１６、特に好ましくは１０〜１４の直鎖アルキル基又はアルケニル基であり、Ｒ7、Ｒ8は、それぞれ炭素数１〜３のアルキル基又はヒドロキシアルキル基である。Ｒ9は炭素数１〜５、好ましくは２又は３のアルキレン基である。Ａは−ＣＯＯ−、−ＣＯＮＨ−、−ＯＣＯ−、−ＮＨＣＯ−、−Ｏ−から選ばれる基であり、ｃは０又は１、好ましくは１の数である。〕
【００３２】
【化３】
0004675518.tif 000004
【００３３】
〔式中、Ｒ10は炭素数９〜２３、好ましくは９〜１７、特に好ましくは１０〜１６のアルキル基又はアルケニル基であり、Ｒ11は炭素数１〜６、好ましくは１〜４、特に好ましくは２又は３のアルキレン基である。Ｂは−ＣＯＯ−、−ＣＯＮＨ−、−ＯＣＯ−、−ＮＨＣＯ−、−Ｏ−から選ばれる基であり、ｄは０又は１の数、好ましくは０である。Ｒ12、Ｒ13は、それぞれ炭素数１〜３のアルキル基又はヒドロキシアルキル基、好ましくはメチル基、エチル基又はヒドロキシエチル基であり、Ｒ14はヒドロキシ基で置換していてもよい炭素数１〜５、好ましくは１〜３のアルキレン基である。Ｄは、−ＳＯ3-、−ＯＳＯ3-から選ばれる基であり、特に−ＳＯ3-が漂白洗浄効果の点から良好である。〕。
【００３４】
本発明では陰イオン界面活性剤をＢ剤に使用することが漂白効果及び貯蔵安定性の点から好ましく、Ｂ剤中に０〜１０質量％、更に０．１〜５質量％配合することが好適である。また、陽イオン界面活性剤は貯蔵安定性の点から、Ａ剤に使用することが好適であり、Ａ剤中に０〜５質量％、更に０．０１〜２質量％、特に０．０５〜１質量％配合することが好適である。さらに両性界面活性剤は本発明のＡ剤及びＢ剤の少なくとも１方、好ましくはＢ剤に用いることが漂白効果の点から好適である。配合量は０〜１５質量％、更に０．０１〜１０質量％、特に０．０５〜５質量％が好ましい。
【００３５】
本発明では漂白効果を高める目的からＡ剤に漂白活性化剤を使用することが好ましい。漂白活性化剤としては漂白効果及び貯蔵安定性の点からアルカノイルオキシベンゼン型漂白活性化剤が好ましく、特に炭素数６〜１４、好ましくは７〜１３のアルカノイル基を有するアルカノイルオキシベンゼンスルホン酸もしくは炭素数６〜１４、好ましくは７〜１３のアルカノイル基を有するアルカノイルオキシベンゼンカルボン酸又はこれらの塩が好ましい。具体的に好ましい例としてはオクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸、及びこれらの塩が挙げられる。塩としてはナトリウム塩、カリウム塩、マグネシウム塩が好ましく、特にナトリウム塩が溶解性の点から好ましい。
【００３６】
これらの中でも特にノナノイルオキシ−ｐ−ベンゼンスルホン酸、デカノイルオキシ−ｐ−ベンゼンカルボン酸、ドデカノイルオキシ−ｐ−ベンゼンスルホン酸及びこれらの塩が親油性汚れ漂白効果の点から好ましい。本発明のＡ剤には漂白活性化剤を０．０５〜５質量％、更に０．１〜３質量％配合することが、漂白効果の点から好ましい。
【００３７】
本発明では、漂白効果及び洗浄効果を高める目的からＡ剤及びＢ剤の少なくとも１方、好ましくはＢ剤に、分散剤を配合することが好ましい。特に、重量平均分子量５千〜４万、好ましくは５千〜１万のポリアクリル酸又はその塩、ポリメタクリル酸又はその塩、又は重量平均分子量1万〜１０万、好ましくは３万〜７万のアクリル酸とマレイン酸のコポリマー（塩）から選ばれるカルボン酸系ポリマー、及び重量平均分子量４千〜２万、好ましくは５千〜１万のポリエチレングリコールから選ばれる非イオン性ポリマーが好ましい。なお、これら分散剤にはＡ剤で用いる酸剤及びＢ剤で用いるアルカリ剤として作用するものがあるため、本発明の効果を妨げない程度に使用することが必要である。本発明ではＡ剤及び／又はＢ剤、好ましくはＢ剤に、上記分散剤を０．０５〜１４質量％、好ましくは０．１〜８質量％配合することが好適である。
【００３８】
本発明ではＡ剤及び／又はＢ剤、好ましくはＢ剤に洗浄効果を高める目的で溶剤を配合することが好ましい。溶剤としては（ｉ）炭素数１〜５の１価アルコール、（ii）炭素数２〜１２の多価アルコール、（iii）下記の一般式（５）で表される化合物、（iv）下記の一般式（６）で表される化合物、（ｖ）下記の一般式（７）で表される化合物が挙げられる。
【００３９】
【化４】
0004675518.tif 000005
【００４０】
〔式中、Ｒ15及びＲ16は、それぞれ水素原子、炭素数１〜６のアルキル基、フェニル基又はベンジル基を示すが、Ｒ15及びＲ16の双方が水素原子となる場合を除く。ｇは０〜１０の数を、ｈは０〜１０の数を示すが、ｇ及びｈの双方が０である場合を除く。Ｒ17及びＲ18は炭素数１〜３のアルキル基を示す。Ｒ19は炭素数１〜８のアルキル基を示す。〕。
【００４１】
（ｉ）の炭素数１〜５の１価アルコールとしては、一般的にエタノール、プロピルアルコール、イソプロピルアルコールが挙げられる。これらの低級アルコールを配合することにより低温における系の安定性を更に向上させることができる。
【００４２】
（ii）の炭素数２〜１２の多価アルコールとしては、イソプレングリコール、２，２，４−トリメチル−１，３−ペンタンジオール、１，８−オクタンジオール、１，９−ノナンジオール、エチレングリコール、プロピレングリコール、ジエチレングリコール、ジプロピレングリコール、グリセリン等が挙げられる。
【００４３】
（iii）の化合物は、一般式（５）において、Ｒ15、Ｒ16がアルキル基である場合の炭素数は１〜４が特に好ましい。また、一般式（５）中、ＥＯ及びプロピレンオキシドの平均付加モル数のｇ及びｈは、それぞれ０〜１０の数である（ｇ及びｈの双方が０である場合を除く）が、これらの付加順序は特に限定されず、ランダム付加したものであってもよい。（iii）の化合物の具体例としては、エチレングリコールモノブチルエーテル、ジプロピレングリコールジメチルエーテル、ジエチレングリコールモノエチルエーテル、ジエチレングリコールモノブチルエーテル、プロピレングリコールモノメチルエーテル、プロピレングリコールモノブチルエーテル、プロピレングリコールモノエチルエーテル、プロピレングリコールジメチルエーテル、ポリオキシエチレン（ｐ＝２〜３）ポリオキシプロピレン（ｐ＝２〜３）グリコールジメチルエーテル（ｐは平均付加モル数を示す）、ポリオキシエチレン（ｐ＝３）グリコールフェニルエーテル、フェニルカルビトール、フェニルセロソルブ、ベンジルカルビトール等が挙げられる。このうち、洗浄力及び使用感の点から、プロピレングリコールモノメチルエーテル、ジエチレングリコールモノブチルエーテル、ポリオキシエチレン（ｐ＝１〜４）グリコールモノフェニルエーテルが好ましい。
【００４４】
また、（iv）の化合物としては、１，３−ジメチル−２−イミダゾリジノン、１，３−ジエチル−２−イミダゾリジノンが好適なものとして例示され、（ｖ）の化合物としてはアルキルグリセリルエーテル化合物が挙げられ、好ましくはＲ19が炭素数３〜８のアルキル基の化合物である。
【００４５】
これらのなかでも本発明の性質を満たすために（ｉ）、（ii）、（iii）、（ｖ）の水溶性溶剤が好ましく、特にエタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、ペンチルグリセリルエーテル、オクチルグリセリルエーテル、ポリオキシエチレン（ｐ＝１〜４）グリコールモノフェニルエーテルから選ばれる溶剤が好ましい。
【００４６】
本発明では、このような溶剤を、好ましくはＢ剤に０．０１〜１５質量％、好ましくは０．０５〜１０質量％含有することが良好である。
【００４７】
本発明の２剤型漂白剤は、上記Ａ剤及びＢ剤を混合して漂白洗浄を行うものである。Ａ剤とＢ剤の混合比率は質量比でＡ剤／Ｂ剤＝１／５〜５／１、更に１／３〜３／１が漂白洗浄効果の点から好ましい。また、Ａ剤及びＢ剤混合後の２０℃におけるｐＨが９．５〜１２、好ましくは９．５〜１１．０、特に好ましくは９．８〜１１．０になるようにＡ剤、Ｂ剤の組成及び混合比率を調整することが漂白効果の点から好ましい。
【００４８】
２０℃における粘度はＡ剤及びＢ剤いずれも３〜３００ｍＰａ・ｓ、好ましくは３〜１００ｍＰａ・ｓの範囲に調整することが使い勝手の点から好適である。このような粘度に調整するために本発明ではＡ剤及び／又はＢ剤に粘度調整剤を配合することができる。粘度調整剤としては炭素数１〜３のアルキル基、もしくはヒドロキシ基が１〜３個置換していてもよいベンゼンスルホン酸、重量平均分子量３０００〜１０００００のポリエチレングリコール又はポリプロピレングリコールを用いることができる。このような粘度調整剤はＡ剤及び／又はＢ剤に０〜１０質量％、更に０．０１〜５質量％配合することが好適である。
【００４９】
なお、上述の任意成分のうち、カリウムを対イオンとする化合物をＢ剤に配合する場合、Ｂ剤中のカリウムイオンの量が１．５〜１０質量％となるように、その配合量を調整する必要がある。
【００５０】
本発明の２剤型漂白剤は、衣料用、台所用、食器用、風呂用、壁用（カビ取り剤も含む）、絨毯用の漂白洗浄剤等の用途に使用されることが好ましい。特に、衣料用の漂白洗浄剤として使用されることが好ましい。
【００５１】
＜容器＞
本発明の２剤型漂白剤は、特に上記のような混合比率を容易に達成する目的で、Ａ剤及びＢ剤を同時に吐出可能な吐出部を具備した容器を用いることが好ましい。また、容器は、Ａ剤、Ｂ剤を分離して保持できるものであり、例えばＡ剤とＢ剤をそれぞれ異なる格納部に収納可能な一体型容器、Ａ剤を収納可能な容器とＢ剤を収納可能な容器とを適当な部材で接合した連結型容器が挙げられる。特に、本発明に用いられる容器の吐出部の開口面積は、Ａ剤吐出部とＢ剤吐出部が面積比で１／５〜５／１、更に１／３〜３／１が吐出量を調整する上で好ましい。吐出量の調整は、Ａ剤とＢ剤の粘度及び吐出部の開口面積や形状を調整することにより公知の方法で達成することができる。具体的な容器の模式図を図１、図２に示す。図１中（１１）、（１２）はＡ剤又はＢ剤の収容部であり、一方にＡ剤が、他方にＢ剤が収容される。各収容部は（１３）の隔壁により分離され、該容器中ではＡ剤とＢ剤は分離して保持される。（１４）はＡ剤及びＢ剤を同時に吐出する吐出部である。また、図２中（２１）、（２２）はＡ剤又はＢ剤の収容部であり、一方にＡ剤が、他方にＢ剤が収容される。これらは（２３）の接合部で接合されている。（２４）はＡ剤及びＢ剤を同時に吐出する吐出部である。
【００５２】
また、本発明に用いられる容器は、図１、２のような、Ａ剤及びＢ剤を計量できるキャップ（１−１）、（２−１）を使用することが好ましい。このようなキャップを用いることにより、Ａ剤とＢ剤とを計量する工程において両者を混合した後に汚れに作用させることが可能になり、高い漂白性能を得ることができる。
【００５３】
【実施例】
表１に示すＡ剤、Ｂ剤を、表１に示す組み合わせで図１又は図２の容器に充填して、２剤型液体漂白剤を調製し、漂白効果を以下の方法で評価した。結果を表１に示す。
【００５４】
なお、表１のｐＨは２０℃にて測定した値であり、１０質量％硫酸水溶液又は３０質量％ＮａＯＨ水溶液を用いて調整した。
【００５５】
また、表１に、２０℃においてＡ剤１０００ｍｌのｐＨを７にするために必要な０．１規定水酸化ナトリウム水溶液の量（表中、０．１規定ＮａＯＨ必要量で示す）、及び２０℃においてＢ剤１０００ｍｌのｐＨを７にするために必要な１規定硫酸水溶液の量（表中、１規定Ｈ2ＳＯ4必要量で示す）を、併せて示した。
【００５６】
＜漂白効果＞
下記の通り調製したカレー汚染布（親油性汚れ）の４枚に、表１に示した吐出量比でＡ剤とＢ剤の混合液を１ｍＬ／枚の割合で塗布し、５分間放置した。その後、０．０６６７質量％濃度の市販洗剤溶液を使ってターゴトメーターにて普通洗浄した（８０ｒｐｍ×１０分）後、乾燥させて、次式により漂白率を算出した。
【００５７】
【数１】
0004675518.tif 000006
【００５８】
反射率は日本電色工業（株）製ＮＤ−３００Ａで４６０ｎｍフィルターを使用して測定した。
【００５９】
（カレー汚染布の調製法）
ハウス食品製レトルトカレー（カレーマルシェ）の固形分をメッシュで除去した後、得られた液を煮沸するまで加熱した。この液に木綿金布＃２００３を浸し、約１５分間煮沸した。そのまま火からおろし約２時間程度放置し室温まで放置した後、布を取りだし、余分に付着しているカレー液をへらで除去し、自然乾燥させた。その後プレスし、１０ｃｍ×１０ｃｍの試験布として実験に供した。
【００６０】
＜Ａ剤の０．１規定ＮａＯＨ必要量の測定＞
Ａ剤１０００ｍｌをビーカーにとり、０．１規定ＮａＯＨ水溶液を、ビュレットを用いて滴下し、攪拌し、ｐＨメーター（堀場製作所製  ｐＨ ＭＥＴＥＲ  Ｆ−１４）にてｐＨ値を測定した。なお、測定は２０℃の恒温室にて、各溶液及び実験器具を２０℃にして行った。
【００６１】
＜Ｂ剤の１規定Ｈ2ＳＯ4必要量の測定＞
Ｂ剤１０００ｍｌをビーカーにとり、１規定Ｈ2ＳＯ4水溶液を、ビュレットを用いて滴下し、攪拌し、ｐＨメーター（堀場製作所製  ｐＨ ＭＥＴＥＲ  Ｆ−１４）にてｐＨ値を測定した。なお、測定は２０℃の恒温室にて、各溶液及び実験器具を２０℃にして行った。
【００６２】
【表１】
0004675518.tif 000007
【００６３】
１）１−ヒドロキシエチリデン−１，１−ジホスホン酸
２）ポリオキシエチレンラウリルエーテル（ＥＯ平均付加モル数６）
３）Ｎ−テトラデシル−Ｎ，Ｎ，Ｎ−トリメチルアンモニウムクロリド
４）ラウロイルオキシベンゼンスルホン酸ナトリウム
５）ポリアクリル酸ナトリウム（重量平均分子量１００００）
６）アルキル（炭素数１２〜１５）ベンゼンスルホン酸ナトリウム
７）ＲＯ(Ｃ2Ｈ4Ｏ)n(Ｃ3Ｈ6Ｏ)m(Ｃ2Ｈ4Ｏ)l−Ｈ（Ｒ：ラウリル、ｎ：６、ｍ：１、ｌ：４）
８）Ｎ−ラウリル−Ｎ，Ｎ−ジメチル−Ｎ−（２−ヒドロキシ−１−スルホプロピル）アンモニウムスルホベタイン
９）アルカリ金属イオン及びアルカリ土類金属イオンの総量に対するカリウムイオンの質量比
【図面の簡単な説明】
【図１】Ａ剤、Ｂ剤を収容する２剤型容器の一例を示す模式図
【図２】Ａ剤、Ｂ剤を収容する２剤型容器の他の例を示す模式図
【符号の説明】
（１１）、（１２）：Ａ剤又はＢ剤の収容部
（１３）：隔壁
（１４）：吐出部
（１−１）：キャップ
【図１】
0004675518.tif 000008
【図２】
0004675518.tif 000009